(57)【要約】【課題】本発明は音響機器等に使用されるスピーカに関するものであり、特に外部からの信号入力にかかる端子装置に関し、コネクタハウジングへの金属端子の挿抜が容易で、且つスピーカ単体の搬送時の異常な振動モードでも金属端子が外れることのない端子装置を設けたスピーカを提供するものである。【解決手段】金属端子６をコネクタハウジング１１の溝部に挿入後、少なくとも溝部の一部を振動板３で覆うことでスピーカ単体の搬送時の予想しない振動モードによっても金属端子６の脱落を防止するものである。なお、振動板３の貼り付けによって前記溝部を覆うので特別な組み立て作業を必要とせず、製作工数を従来と同様で可能としている。【選択図】　図１
2004023515.tif 000002
【特許請求の範囲】
【請求項１】
少なくとも磁気回路と、この磁気回路に結合された樹脂製スピーカフレームと、外周が前記スピーカフレームに結合され、内周が前記磁気回路の磁気ギャップに嵌め込まれたボイスコイルに接着結合された振動板と、一端側が前記ボイスコイルに巻回されたコイル端部に接合された錦糸線の他端と接合され、他端側が外部からの電気信号を受容するコネクタ端子部とした金属端子と、この金属端子を装着する前記樹脂製のスピーカフレームに一体に前記スピーカフレーム外周近傍に形成されたコネクタハウジングとで構成されるスピーカであって、前記金属端子の中間部に折曲部を設け、この折曲部を含む前記金属端子が挿入される溝部を前記コネクタハウジングに設けるとともに、この溝部の一部または全部を覆うように前記振動板の外周を前記スピーカフレームに貼り付けたスピーカ。
【請求項２】
少なくとも磁気回路と、この磁気回路に結合された樹脂製スピーカフレームと、外周が前記スピーカフレームに結合され、内周が前記磁気回路の磁気ギャップに嵌め込まれたボイスコイルに接着結合された振動板と、一端側が前記ボイスコイルに巻回されたコイル端部に接合された錦糸線の他端と接合され、他端側が外部からの電気信号を受容するコネクタ端子部とした金属端子と、この金属端子を装着する前記樹脂製のスピーカフレームに一体に前記スピーカフレーム外周近傍に形成されたコネクタハウジングとで構成されるスピーカであって、前記金属端子の中間部に折曲部を設け、この折曲部を含む前記金属端子が挿入される溝部を前記コネクタハウジングに設けるとともに、前記金属端子の挿入後、この溝部の一部または全部を振動板貼り付け時に使用する接着剤で覆ってなるスピーカ。
【発明の詳細な説明】
【０００１】
【発明の属する技術分野】
本発明は主として車載用音響機器等に使用されるスピーカに関するものであり、特に外部からの信号入力にかかる金属端子とこれを装着するコネクタハウジングの構造に関するものである。
【０００２】
【従来の技術】
従来の技術を図２、図３（ａ），（ｂ），（ｃ）により説明する。
【０００３】
図２は裏面から見たスピーカの斜視図であり、図３（ａ）は要部であるスピーカの一対の金属端子の斜視図であり、図３（ｂ）はコネクタハウジングの斜視図であり、図３（ｃ）は前記コネクタハウジングに前記金属端子を装着した状態を説明するための斜視図である。
【０００４】
同図によると、１は磁気回路であり、ヨークとマグネットと上部プレートにより形成されており、２はこの磁気回路に結合された樹脂製スピーカフレームであり、３は外周が前記スピーカフレーム２に接着結合され、内周が前記磁気回路１の磁気ギャップ（図示せず）に嵌め込まれたボイスコイル（図示せず）に接着結合された振動板であり、４は前記スピーカフレーム２に一体に成形されたコネクタハウジング５と一対の金属端子６から形成された端子装置である。７はこの端子装置４と樹脂製スピーカフレーム２を繋ぐブリッジ部であり、これにより端子装置４はふらつくことなく取り付けられて、外部からのコネクタ（図示せず）の挿抜が安定的に行えることとなる。
【０００５】
なお、６は、略９０°に折り曲げられた折曲部６ａを中間に設けたＬ字状の金属端子であり、６ｂは図示しないコネクタが装着される一方の端部に設けられたコネクタ端子部であり、他端近傍には図示しないスピーカのボイスコイルに接続された錦糸線と接合される切欠部６ｃが設けられている。
【０００６】
コネクタハウジング５は、前記金属端子６の折曲部６ａが挿入される溝部５ａが設けられている。
【０００７】
金属端子６と、コネクタハウジング５の結合は、図３（ｃ）に示すように、コネクタハウジング５の溝部５ａに金属端子６を挿入することで行われる。
【０００８】
以上のように、金属端子６はコネクタハウジング５の溝部５ａに挿入するだけでコネクタハウジング５に装着されるとともに、金属端子６は折曲部６ａ間がコネクタハウジング５の対応する溝部５ａの内壁に挟まれていることにより、金属端子６のどちらか一端だけにコネクタハウジング５の溝部５ａから外す方向に力を加えても前記折曲部６ａ間が引っかかってコネクタハウジング５の溝部５ａから金属端子６は容易に脱落することはなく、また、使用状態であるスピーカに電気信号を入力するためにスピーカの端子装置４に相手側のコネクタ（図示せず）が挿入されている状態では、コネクタ端子部６ｂが相手側コネクタにより固定されているため、金属端子６はコネクタハウジング５から脱落しない構造となる。
【０００９】
しかしながら、金属端子６をコネクタハウジング５から取り外す必要が生じた場合には、コネクタハウジング５の溝部５ａから外す方向に、金属端子の一方端のコネクタ端子側と錦糸線取り付け用の切り欠き部を設けた他端側とに同時に均等な力を加えれば、金属端子の折曲部６ａ間のコネクタハウジングの溝部の内壁が取り外しの妨げとならず、容易に取り外すことができるものとなっていた。
【００１０】
【発明が解決しようとする課題】
しかしながら前記の従来の構成は上述のように、金属端子６はコネクタハウジング５に挿入しやすく、外れ難い構成となっているが、スピーカ搬送時の予想しない振動モードによって、極めて低い頻度であるが外れる可能性は否定できず、より確実に金属端子６の外れる恐れのない構造が望まれている。
【００１１】
本発明は前記従来の課題を解決するもので、スピーカのコネクタハウジングに対して、金属端子が外れ難いスピーカの端子装置を有するスピーカを提供することを目的とするものである。
【００１２】
【課題を解決するための手段】
前記課題を解決するために本発明の請求項１に記載のスピーカの発明は、金属端子を装着するスピーカフレームの外周近傍にコネクタハウジングを一体に設け、金属端子の中間部に折曲部を設け、この折曲部を含む前記金属端子が挿入される溝部を前記コネクタハウジングに設けるとともに、この溝部の一部または全部を覆うように前記振動板の外周を前記スピーカフレームに貼り付けたものであり、従来技術の金属端子の挿抜が容易で且つ両端に均等な力を加えないと外し難く、相手側のコネクタの挿入後は、この相手側のコネクタにより固定されて金属端子の脱落は防止できるという特長を維持しながら、溝部の少なくとも一部を振動板で覆うことでスピーカ単体の搬送時の予想しない振動モードによっても金属端子の脱落は防止できるものである。
【００１３】
なお、振動板の貼り付けによって前記溝部を覆うので特別な組み立て作業を必要とせず、製作工数を従来と同様で行えるものである。
【００１４】
本発明の請求項２に記載のスピーカの発明は、コネクタハウジングの溝部の一部または全部を振動板貼り付け時に使用する接着剤で覆うことで金属端子のスピーカ単体の搬送時脱落を防止するものであり、スピーカ単体完成後の金属端子の入れ替えも振動板を損傷させることなく行えるものであるとともに、振動板貼り付けのための接着剤の塗布工程で同時に溝部への接着剤塗布も行えるので、製作工数も従来と同様で行えるものである。
【００１５】
【発明の実施の形態】
以下、本発明のスピーカの端子装置の一実施の形態を図１により説明する。なお、従来技術と同一部分は同一番号を付して説明を省略して説明する。
【００１６】
（実施の形態１）
図１は本発明の一実施の形態のスピーカの側断面図である。同図によると、２ａは樹脂製スピーカフレームであり、１０はこの樹脂製スピーカフレーム２ａに一体に成形されたコネクタハウジング１１とこのコネクタハウジング１１に装着された金属端子６からなる端子装置である。
【００１７】
このコネクタハウジング１１は図示しないが従来技術と同様の溝部５ａを有しており、金属端子６の折曲部６ａ間がコネクタハウジング１１の対応する溝部５ａの内壁に挟まれていることにより装着されている。この構成とすることで、金属端子は従来技術と同様に挿抜が容易で且つ両端に均等な力を加えないと外し難く、相手側のコネクタの挿入後は、この相手側のコネクタにより固定されて金属端子の脱落は防止できるという特長を維持している。
【００１８】
更に、図から明らかなように外周がエッジ部となっている振動板３のこの外周の貼り付け部３ａが貼り付けられるスピーカフレーム２ａの貼り付け部２ｂと同一円周上の同一平面となるように前記コネクタハウジング１１の貼り付け部１１ａが設けられている。
【００１９】
従って、振動板３の溝５ａに挿入装着された金属端子６は外周がエッジ部となっている振動板３の貼り付け部３ａをスピーカフレーム２ａの貼り付け部２ｂに貼り付けるときに同時に振動板３の貼り付け部３ａは前記コネクタハウジング１１の貼り付け部１１ａにも貼り付けられるので、溝５ａ上の一部または全部を振動板３で覆うことになり、スピーカ搬送時の異常な振動モードを受けても金属端子６が外れることは防止される。
【００２０】
なお、以上の実施の形態では前記コネクタハウジング１１の貼り付け部１１ａをスピーカフレーム２ａの貼り付け部２ｂと同一円周上の同一平面に設けるものとして説明したが、略同一平面上の同一円周近傍に設けても、振動板３の貼り付け部３ａをスピーカフレーム２ａの貼り付け部２ｂとともに前記コネクタハウジング１１の貼り付け部１１ａも貼り付け可能なように当該部分を延長したものも本発明の一実施形態となる。この場合は、スピーカの機器への装着後に修理などの都合で金属端子６を外す必要があったとしても、スピーカの音響特性を左右するスピーカフレーム２ａと振動板３の接着結合の状態に損傷を与えることなく金属端子６の挿抜が可能とできる。
【００２１】
なお、上記いずれの実施の形態でも貼り付けは振動板３とスピーカフレーム２ａの貼り付け工程で同時に行えるので工数の増加によるコストアップも防止できる。
【００２２】
また、溝部５ａに金属端子６を挿入後、接着剤を塗布することで接着剤により金属端子６の外れを防止することも可能である。この場合、接着剤は振動板３とスピーカフレーム２ａの貼り付け時の接着剤の塗布工程で同時に行うことで工数の増加によるコストアップも防止できる。なお、この接着剤を塗布する場合はスピーカフレーム２ａの外周近傍であれば、スピーカフレーム２ａの貼り付け部２ｂと若干の高低があっても良い。
【００２３】
【発明の効果】
以上のように本発明は、金属端子はコネクタハウジングの溝部に挿入し、その溝部の一部または全部を覆うことで、金属端子がコネクタハウジングに容易に装着されるとともに、容易に抜けにくく且つ、スピーカ単体としての搬送時の異常な振動モードでも抜けることのない端子装置を有する優れたスピーカの提供を可能とするものである。
【図面の簡単な説明】
【図１】本発明の一実施の形態のスピーカの側断面図
【図２】従来のスピーカの裏面から見た斜視図
【図３】（ａ）同要部であるスピーカの一対の金属端子の斜視図
（ｂ）コネクタハウジングの斜視図
（ｃ）前記コネクタハウジングに前記金属端子を装着した状態を説明するための斜視図
【符号の説明】
１　磁気回路
２ａ　スピーカフレーム
２ｂ　（スピーカフレームの）貼り付け部
３　振動板
５ａ　溝部
６　金属端子
６ａ　折曲部
９　ボイスコイル
１０　端子装置
１１　コネクタハウジング
１１ａ　（コネクタハウジングの）貼り付け部
【図１】
2004023515.tif 000003
【図２】
2004023515.tif 000004
【図３】
2004023515.tif 000005